(57)【特許請求の範囲】
【請求項１】
地中配電機器を収納した外箱の、前記地中配電機器の主回路ケーブル端末に設けたバイパス端子にバイパスケーブル端末を接続する際に使用するバイパスケーブル着脱工具において、
前記バイパスケーブル着脱工具は、三相各相の前記バイパスケーブル端末に取り付ける可動部材と、前記各バイパスケーブルを挿通して前記外箱内に取り付け、固定する三相一体の固定部材とから成り、
前記可動部材は、鈎型のバイパスケーブル端末の先端部を被う断面略逆Ｌ字型の突出部を有する枠体から成り、当該枠体の下部に、前記突出部との間に間隔をあけて同方向に平行にガイド突体を設け、前記枠体の外面に操作棒を係止する係止部材を設け、
前記固定部材は前記三相各相のバイパスケーブルを固定するケーブル固定部を下部に、前記可動部材の各ガイド突体を嵌めて通す３個のガイド挿通部を上部に夫々有する枠体から成り、
前記固定部材を前記外箱内に固定し、当該固定部材のケーブル固定部に固定した三相各相のバイパスケーブルのケーブル端末の先端部に取り付けた可動部材を、当該可動部材の各ガイド突体を前記固定部材の各ガイド挿通部に嵌め入れて押すことにより、前記各相のバイパスケーブル端末を前記主回路ケーブル端末の各相のバイパス端子に嵌合させる構成としたことを特徴とする、バイパスケーブル活線着脱工具。
【請求項２】
前記可動部材及び前記固定部材の各枠体は夫々金属から成ることを特徴とする、前記請求項１に記載のバイパスケーブル活線着脱工具。
【請求項３】
前記固定部材の各ガイド挿通部内の上下に夫々複数のローラーを水平に軸支して設け、当該ガイド挿通部の上下のローラーの間に前記各可動部材のガイド突体を挿入することを特徴とする、前記請求項１又は２に記載のバイパスケーブル活線着脱工具。
【請求項４】
前記係止部材は、前記可動部材の略逆Ｌ字型の屈曲部の両側外面に両脚部を水平に軸支して回動自在に設け、前記脚部の間に介在する板体の前面には回動自在なねじ部を突設し、後面には前記ねじ部と一体に設けた係止体を設け、
前記枠体の背面に位置させた前記係止部材の係止体に前記操作棒の先端を係止して、前記バイパスケーブル端末に取り付けた可動部材を押圧して当該バイパスケーブル端末を前記バイパス端子に嵌合し、
さらに、前記操作棒によって前記係止部材を回動させて前記枠体の屈曲部上に略立設し、当該係止部材の板体の前面のねじ部を、前記バイパス端子を設けた地中配電機器に予め設けたねじ穴に、前記操作棒を回して螺着して当該係止部材を当該地中配電機器に固定する構成としたことを特徴とした、前記請求項１、２又は３の何れかに記載のバイパスケーブル活線着脱工具。
【請求項５】
前記固定部材を形成する枠体はバイパスケーブル両側にわずかな隙間を設けて挟む各相２枚の板体を両側に立設し、背面側を別の板体で塞いで形成し、当該枠体の下端に、バイパスケーブルを各相個別に固定するバイパスケーブルクリートの一端を回動自在に軸支して設けたことを特徴とした、前記請求項１、２、３又は４の何れかに記載のバイパスケーブル活線着脱工具。
【請求項６】
前記固定部材を形成する枠体の前記ケーブル固定部の前部にローラーを水平に軸支して設けたことを特徴とする、前記請求項５に記載のバイパスケーブル活線着脱工具。
【発明の詳細な説明】
【技術分野】
【０００１】
この発明は、電力供給のために、外箱内に設置されている地中配電機器等の地中配電系統線路において、事故復旧工事時や作業停電時の際に使用されるバイパスケーブルを、開閉器を含む前記地中配電機器に活線状態で取り付ける着脱工具に関するものである。
【背景技術】
【０００２】
近年、電力供給において、電力品質の向上の社会的要請の観点から、配電系統線路の事故復旧工事及び作業停電の時間短縮が望まれている。
【０００３】
この様な中、工事区間にバイパスケーブルを使用して、当該工事区間の配電路を遮断することなく、無停電の状態で工事を支障なく行えるようにしたバイパスケーブル工法と言うものがある。これは、特許文献１の従来技術にも記載されている。
【特許文献１】特開平６−３５１１４号公報
【発明の開示】
【発明が解決しようとする課題】
【０００４】
しかしながら、地中配電系統では、作業安全上、バイパスケーブルの地中配電機器への着脱は機器のバイパス端子を無電圧状態にして行う必要があり、そのため多大な時間を要している。
【０００５】
すなわち、バイパスケーブルの充電後にバイパスケーブルに接触することが出来ないことから、機器側のバイパス端子を無電圧にして、バイパスケーブルを接続する必要がある。そこで、バイパスケーブルを接続する回路の負荷側に連係して、隣接する他の外箱内の機器に逆送りしてループにした後、負荷側の機器と前記バイパスケーブルを接続する機器とを連係している回路を開放し、その後、当該回路にバイパスケーブルを接続固定する。そして、当該バイパスケーブルの接続固定を十分に行った後、当該回路を投入し、前記バイパスケーブルを充電する。なお、作業終了後は、系統を元の状態に切り戻す必要がある。
【０００６】
また、バイパスケーブルはある程度剛性を有するのでバイパスケーブル端末をバイパス端子に滑らかに着脱するために、バイパスケーブルクリートからバイパス端子までの間に有る程度の長さが必要であった。
【０００７】
さらに、昨今では、配電機器のＳＦ６ガス絶縁方式の開閉器は、地球温暖化防止の観点から敬遠され、代わりに気中絶縁方式の開閉器が採用される傾向があり、その為、機器が大きくなり、外箱の高さは規制されていることから、当該機器に取り付けられることになるバイパス端子の位置も下方へ下がり、また、作業性向上の観点から、バイパス端子を正面横並びにする必要があり、さらに、機器の横幅も規制されていることから、相間が狭くなり、短絡電流通電時の電磁反発力が増大し、バイパスケーブルの機器への活線状態での着脱はより困難となっている。
【０００８】
この発明は、これらの点を鑑みて為されたもので、開閉器等の地中配電機器を収納設置した外箱内において、バイパスケーブルを接続する際、当該バイパスケーブルを取り付ける回路を活線状態のまま、短時間で、安全、容易かつ確実に着脱出来るバイパスケーブル活線着脱工具を提供して前記課題を解決するものである。
【課題を解決するための手段】
【０００９】
請求項１の発明は、地中配電機器を収納した外箱の、前記地中配電機器の主回路ケーブル端末に設けたバイパス端子にバイパスケーブル端末を接続する際に使用するバイパスケーブル着脱工具において、前記バイパスケーブル着脱工具は、三相各相の前記バイパスケーブル端末に取り付ける可動部材と、前記各バイパスケーブルを挿通固定して前記外箱内に取り付け、固定する三相一体の固定部材とから成る。
【００１０】
前記可動部材は、鈎型のバイパスケーブル端末の先端部を被う断面略逆Ｌ字型の突出部を有する枠体から成り、当該枠体の下部に、前記突出部との間に間隔をあけて同方向に平行にガイド突体を設け、前記枠体の外面に操作棒を係止する係止部材を設け、前記固定部材は前記三相各相のバイパスケーブルを固定するケーブル固定部を下部に、前記可動部材の各ガイド突体を嵌めて通す３個のガイド挿通部を上部に夫々有する枠体から成る。
【００１１】
前記固定部材を前記外箱内に固定し、当該固定部材のケーブル固定部に固定した三相各相のバイパスケーブルのケーブル端末の先端部に取り付けた可動部材を、当該可動部材の各ガイド突体を前記固定部材の各ガイド挿通部に嵌め入れて押すことにより、前記各相のバイパスケーブル端末を前記主回路ケーブル端末の各相のバイパス端子に嵌合させる構成としたバイパスケーブル活線着脱工具とした。
【００１２】
請求項２の発明は、前記可動部材及び前記固定部材の各枠体は夫々金属から成る前記請求項１に記載のバイパスケーブル活線着脱工具とした。また、請求項３の発明は、前記固定部材の各ガイド挿通部内の上下に夫々複数のローラーを水平に軸支して設け、当該ガイド挿通部の上下のローラーの間に前記各可動部材のガイド突体を挿入する前記請求項１又は２に記載のバイパスケーブル活線着脱工具とした。
【００１３】
請求項４の発明は、前記係止部材は、前記可動部材の略逆Ｌ字型の屈曲部の両側外面に両脚部を水平に軸支して回動自在に設け、前記脚部の間に介在する板体の前面には回動自在なねじ部を突設し、後面には前記ねじ部と一体に設けた係止体を設け、前記枠体の背面に位置させた前記係止部材の係止体に前記操作棒の先端を係止して、前記バイパスケーブル端末に取り付けた可動部材を押圧して当該バイパスケーブル端末を前記バイパス端子に嵌合する。
【００１４】
さらに、前記操作棒によって前記係止部材を回動させて前記枠体の屈曲部上に略立設し、当該係止部材の板体の前面のねじ部を、前記バイパス端子を設けた地中配電機器に予め設けたねじ穴に、前記操作棒を回して螺着して当該係止部材を当該地中配電機器に固定する構成とした前記請求項１、２又は３の何れかに記載のバイパスケーブル活線着脱工具とした。
【００１５】
請求項５の発明は、前記固定部材を形成する枠体はバイパスケーブル両側にわずかな隙間を設けて挟む各相２枚の板体を両側に立設し、背面側を別の板体で塞いで形成し、当該枠体の下端に、バイパスケーブルを各相個別に固定するバイパスケーブルクリートの一端を回動自在に軸支して設けた前記請求項１、２、３又は４の何れかに記載のバイパスケーブル活線着脱工具とした。また、請求項６の発明は、前記固定部材を形成する枠体の前記ケーブル固定部の前部にローラーを水平に軸支して設けた前記請求項５に記載のバイパスケーブル活線着脱工具とした。
【発明の効果】
【００１６】
請求項１の発明によれば、バイパスケーブルの接続において、機器側のバイパス端子を無電圧にする必要が無いないので、従来の繁雑な作業を行う必要が無い。また、予め、可動部材と固定部材を設け、バイパスケーブル端末に前記可動部材を取り付け、固定部材を外箱内に取り付け、当該可動部材の下部のガイド突体を前記固定部材の上部に設けたガイド挿通部に挿入しガイドとすることにより、バイパスケーブル端末を機器側のバイパス端子に嵌合して接続するようにしたので、また、バイパスケーブルの捕縛作業も省略することが出来るので、活線状態のバイパス端子に短時間で、安全、容易かつ確実にバイパスケーブルを着脱することが出来る。
【００１７】
また、機器全体が比較的上下方向に大きな気中絶縁方式の開閉器でバイパス端子が外箱内の下部にあっても、前述の通り、従来の繁雑な作業が不要で、可動部材のガイド突体を固定部材内に挿入することにより、バイパスケーブルを活線状態のバイパス端子に確実に接続することが出来る。
【００１８】
請求項２の発明によれば、前記可動部材及び固定部材の各枠体が金属から成るので、バイパスケーブル通電中に万一短絡電流が通電した場合、異相間同士にかかる多大な電磁反発力に対して、特別な追加補強処置を施さなくても十分耐えることが出来、また、バイパスケーブル通電中に万一、バイパスケーブル端末部に絶縁破壊が生じても、瞬時に事故電流を地中に流すことが出来るのでバイパスケーブル端末の燃焼、アークによる外箱の穴開きを防止出来る。
【００１９】
請求項３の発明によれば、前記固定部材の各ガイド挿通部の上下に夫々複数のローラーを水平に軸支して設け、当該ガイド挿通部の上下のローラーの間に前記各可動部材のガイド突体を挿入することとしたので、可動部材を取り付けたバイパスケーブル端末を機器側のバイパス端子に嵌合する際、ガイド突体がガイド挿通部内を円滑に進み、バイパスケーブル端末をより確実に機器側のバイパス端子に着脱をすることが出来る。
【００２０】
請求項４の発明によれば、前記係止部材は、前記可動部材の略逆Ｌ字型の屈曲部の両側外面に両脚部を水平に軸支して回動自在に設け、前記枠体の背面に位置する前記係止部材の係止体に前記操作棒の先端を係止して、前記バイパスケーブル端末に取り付けた可動部材を押圧して当該バイパスケーブル端末をバイパス端子に嵌合し、さらに、前記操作棒によって前記係止部材を回動させて前記枠体の屈曲部上に略立設し、当該係止部材の板体の前面のねじ部を、前記バイパス端子を設けた地中配電機器に予め設けたねじ穴に、前記操作棒を回して螺着して当該係止部材を当該地中配電機器に固定することとしたので、短絡電流が通電しても、その電磁反発力でバイパスケーブル端末が機器側のバイパス端子から離脱することがない。
【００２１】
請求項５の発明によれば、前記固定部材を形成する枠体をバイパスケーブル両側にわずかな隙間を設けて挟む各相２枚の板体を両側に配し、背面側を別の板体で塞いで形成し、当該枠体の下端に、バイパスケーブルを各相個別に固定するバイパスケーブルクリートの一端を回動自在に軸支して設けたので、バイパスケーブル端末の機器側のバイパス端子への嵌合状態時と引き抜き状態時のバイパスケーブルの撓みを吸収することが出来、バイパスケーブル端末とバイパスケーブルクリート間を短くしても、バイパスケーブル端末を機器側のバイパス端子に無理なく円滑に活線着脱することが出来る。その結果、バイパスケーブル着脱工具として作業性が良いものである。
【００２２】
請求項６の発明によれば、前記固定部材を形成する枠体の前記ケーブル固定部の前部にローラーを水平に軸支して設けたので、前記バイパスケーブル端末を開放状態にする際、当該バイパスケーブルを前記ローラー上に支持することが出来、その結果、バイパスケーブルを外箱に接触させることなく開放操作をすることが出来る。
【発明を実施するための最良の形態】
【００２３】
地中配電機器を収納した外箱の、前記地中配電機器の主回路ケーブル端末に設けたバイパス端子にバイパスケーブル端末を接続する際に使用するバイパスケーブル活線着脱工具において、前記バイパスケーブル活線着脱工具は、三相各相の前記バイパスケーブル端末に取り付ける可動部材と、前記各バイパスケーブルを挿通固定して前記外箱内に取り付け、固定する三相一体の固定部材とから成る。
【００２４】
前記可動部材は、鈎型のバイパスケーブル端末の先端部を被う断面略逆Ｌ字型の突出部を有する枠体から成り、当該枠体の下部に、前記突出部との間に間隔をあけて同方向に平行にガイド突体を設け、前記枠体の外面に操作棒を係止する係止部材を設け、前記固定部材は前記三相各相のバイパスケーブルを固定するケーブル固定部を下部に、前記可動部材の各ガイド突体を嵌めて通す３個のガイド挿通部を上部に夫々有する枠体から成る。
【００２５】
前記固定部材を前記外箱内に固定し、当該固定部材のケーブル固定部に固定した三相各相のバイパスケーブルのケーブル端末の先端部に取り付けた可動部材を、当該可動部材の各ガイド突体を前記固定部材の各ガイド挿通部に嵌め入れて押すことにより、前記各相のバイパスケーブル端末を前記主回路ケーブル端末の各相のバイパス端子に嵌合させる構成とした。
【００２６】
これにより、短時間で、安全、容易かつ確実にバイパスケーブル端末を活線状態でバイパス端子に着脱することが出来る。
【実施例１】
【００２７】
以下、この発明の実施例を図に基づいて説明する。
図１は、この発明の実施例において、外箱６０内の開閉器である機器６２にバイパスケーブル活線着脱工具Ａ付のバイパスケーブル５０を接続した状態の一部縦断面図である。図２は、この発明の実施例のバイパスケーブル活線着脱工具Ａの可動部材Ｂの側面図である。図３は、同平面図である。図４は、同正面図である。図５は、同背面図である。図６は、この発明の実施例のバイパスケーブル端末５１に可動部材Ｂを取り付けた状態の断面図である。
【００２８】
このバイパスケーブル活線着脱工具Ａを使用して、外箱６０内に収納設置された機器６２にバイパスケーブル５０を取り付ける。この外箱６０は、図１及び図１８に示すように、機器６２を収納設置した外箱として一般的なものであり、地中に設けられた横長長方形状のハンドホール６３の上部端縁のハンドホール基礎６３ａの上に、四辺形の枠体を形成した機器外箱チャネルベース６４（以下、単に「チャネルベース６４」と言う。）を設け、この四辺形状に設けたチャネルベース６４の上に外箱６０を固定したものである。前記長方形状の開口部からはこの外箱６０内に複数のケーブル（主回路ケーブル６１等）が立ち上げられている。
【００２９】
図１５に示すように、バイパス工事の際、前記可動部材Ｂ及び固定部材Ｃを一端である端末に取り付けたバイパスケーブル５０の他端を外箱６０内からハンドホール６３内に入れた後、折り返して、外箱外に引出し、この外箱６０内の機器６２の下方にある主回路ケーブル端末６１ａの正面に設けたバイパス端子６１ｂに、前記バイパスケーブル５０のバイパスケーブル端末５１を取り付けるものとする。
【００３０】
この発明の実施例のバイパスケーブル活線着脱工具Ａは、図１に示すように、可動部材Ｂと固定部材Ｃから成る。まず、可動部材Ｂから説明する。この可動部材Ｂは、バイパスケーブル端末５１の先端部に取り付けて当該バイパスケーブル端末５１を機器側のバイパス端子６１ｂに嵌合するものである。この可動部材Ｂは、図２に示すように、断面略逆コ字型の枠体で、水平な突出部３を上部に有し、下部に、前記突出部３と同方向に平行にガイド突体４を設けている。このガイド突体４は、前記突出部３より後方へ長く伸びている。
【００３１】
前記可動部材Ｂの枠体は、ここでは、逆向きコ字型の金属板体１を２枚、間隔を空けて相対向させて立設し、図３、図４、図５及び図６に示すように、これらの金属板体１の間に、当該金属板体１の形状に沿って、支持金具２を設けてこれらを一体に固定して形成している。この可動部材Ｂにバイパスケーブル端末５１を挿通させる。
【００３２】
前記支持金具２は、前記突出部３内において、図４、図５及び図６に示すように、長手方向の上下に、一対の湾曲させた板体を相対向させて、当該可動部材Ｂの屈曲部を除いて先端まで設け、前記各板体の長手方向の相対向する端縁を折り返して折り返し縁とし、これらの各折り返し縁を前記突出部３の内側面と当接させ、当該可動部材Ｂの外側の両側からこれらに雌ねじを複数穿ち、ねじ５とナット６で夫々固定している。また、この可動部材Ｂの上部の屈曲部を除いて、この可動部材Ｂの直立部にも、図３及び図６に示すように、縦方向に湾曲させた一対の板体を相対向させて、前記突出部３の支持金具２と同様の支持金具２を設けて固定しており、この支持金具２は当該直立部の下端縁まで設けられている。
【００３３】
また、この可動部材Ｂの下部の突出部であるガイド突体４の内側には、前記突出部３の支持金具２と同様な一対の支持金具２を設けている。前記突出部３の先端、ガイド突体４の先端、直立部の下端は、夫々一対の支持金具２の開口部となっており、この直立部の下端内側には、図６に示すように、後述するバイパスケーブル５０の先端部にこの可動部材Ｂを取り付けた際、このバイパスケーブル５０のケーブル部分５０ａを内側に挿通して固定する、環状のケーブルスペーサー２ａを設けるようになっている。
【００３４】
図７は、この発明の実施例の可動部材Ｂに取り付ける固定金具７の一部断面正面図である。図８は、同側面図である。図９は、同縦断面図である。
【００３５】
この可動部材Ｂの上部の屈曲部の両側外面に、固定金具７を回転自在に設けている。この固定金具７は、図６、７、８及び９に示すように、立設した四角形状の板体７ａの左右の両側から脚部７ｂを夫々垂下させ、当該両側の脚部７ｂの略先端に透孔ｇを夫々穿っている。この固定金具７を、前記可動部材Ｂの上部の屈曲部の両側外面に被せ、当該固定金具７の左右の各透孔７ｇに、当該透孔７ｇの径より小さい径を有し、外周縁に前記透孔７ｇの径より大きいフランジを有する円板状の支軸７ｆを夫々嵌合して前記屈曲部の両側外面にネジ７ｈで螺着して固定し、当該固定金具７を回動自在に軸支している。この固定金具７の上部の板体７ａの表面には、図８及び９に示すように、回転円板７ｅが板体７ａに重合しており、回転円板７ｅの裏面中心からねじ部７ｃが突設し、このねじ部７ｃは前記板体７ａに設けた孔を貫通して板体７ａの裏面に突出している。また、前記回転円板７ｅの表面には、横向きＵ字型の係止体７ｄを設けている。これにより、係止体７ｄを回転させることにより、前記ねじ部７ｃも回転する。
【００３６】
図１０は、この発明の実施例のバイパスケーブル活線着脱工具Ａの固定部材Ｃの側面図である。図１１は、同平面図である。図１２は、同正面図である。図１３は、同背面図である。図１４は、この発明の実施例のバイパスケーブルクリート側ケーブルスペーサー１０ａの斜視図である。
【００３７】
前記固定部材Ｃを説明する。この固定部材Ｃは、図１０に示すように、略十字型の２枚の金属板体８を間隔を空けて相対向させて立設し、これらの金属板体８の間に、後述するローラー等を設けたものを３組並べて、これらを一体にして枠体を構成し、各組の金属板体８ａの間の上部にガイド挿通部９、下部にケーブル固定部を夫々有している。これらの各金属板体８は、略十字型の金属板体８ａの上部の突出部の上に、ガイド挿通部９を形成する台形状の金属板体８ｂを２枚相対向させて夫々設けたものから成る。
【００３８】
当該各金属板体８ｂの内側に前記ガイド挿通部９を夫々設け、当該各ガイド挿通部９の上部に２つのローラー９ａを夫々水平に軸支したシャフトの両側に並べて設け、下部に３つのローラー９ｂを夫々水平に軸支したシャフトの両側に並べて設けている。これらの下部の各３つのローラー９ｂのうち、最前列のローラー９ｂの間には、図１に示すように、当該箇所に可動部材Ｂのケーブル部分５０ａが挿入されるので水平なシャフトは設けられていない。また、この上部の突出部を形成する２枚の各金属板体８ｂの前側上部の角部は夫々切り取られており、後述する、各可動部材Ｂのガイド突体４の先端を挿入する際に、当該ガイド突体４が挿入し易い様になっている。
【００３９】
また、当該各金属板体８の下部の突出部の下端には、図１０、図１２、図１３に示すように、ケーブル固定部である、横長で半身のバイパスケーブルクリート１０を夫々設けており、また、当該バイパスケーブルクリート１０の内側には、図１１、図１２、図１３、図１４に示す、横長で半身のバイパスケーブルクリート側ケーブルスペーサー１０ａを２つ相対向させて設けている。当該各バイパスケーブルクリート１０の正面側の端部に軸支したシャフト１０ｂによって当該バイパスケーブルクリート１０を前記金属板体８の下部の突出部に回動自在に夫々設けている。また、図１０、図１１、図１２に示すように、当該各金属板体８の前部の突出部の内側下部には、１つのローラー１１を水平に軸支して夫々設けている。
【００４０】
これらの固定部材Ｃの後部の各突出部の後端に長方形状の取り付け板体１２を当てて固定している。
【００４１】
次に、このバイパスケーブル活線着脱工具Ａ（可動部材Ｂ及び固定部材Ｃ）を使用して、外箱６０内に収納設置された機器６２にバイパスケーブル５０を取り付ける。
【００４２】
図１５は、この発明の実施例において、外箱６０内の機器６２にバイパスケーブル端末５１を取り付けるために当該バイパスケーブル端末５１を開放した状態の一部縦断面図である。図１６は、この発明の実施例において、外箱６０内の機器６２にバイパスケーブル端末５１を取り付けるためにフック棒６６で当該バイパスケーブル端末５１を押圧している状態の一部縦断面図である。図１７は、この発明の実施例において、外箱６０内の機器６２にバイパスケーブル端末５１を取り付け、外箱６０の扉を閉めた状態の一部縦断面図である。図１８は、同一部破断正面図である。図１９は、この発明の実施例において、バイパス端子６１ｂからバイパスケーブル端末５１を引き抜く状態の一部縦断面図である。
【００４３】
バイパスケーブル活線着脱工具Ａは、予め、工場等において、数メートル、例えば、２〜３メートルのバイパスケーブル５０を三相分（３本）用意し、これらの各バイパスケーブルの各端末５１に３個の可動部材Ｂを取り付けておき、三相の各バイパスケーブル５０のケーブル部分５０ａを前記固定部材Ｃの各ケーブル固定部である各２枚の金属板体８の間に夫々挿通し、各相毎にバイパスケーブル端末５１を機器側のバイパス端子６１ｂに円滑に着脱出来るように、バイパスケーブル５０のケーブル部分５０ａにおける最適な位置を各バイパスケーブルクリート１０内のケーブルスペーサー１０ａ内に挿通して固定しておく。
【００４４】
そして、活線状態で、バイパス工事を始める際に、バイパスケーブル活線着脱工具Ａを付けたバイパスケーブル５０を外箱６０内に入れ、このバイパスケーブル５０の負荷側を、図１５に示すように、前記ハンドホール６３内に垂らす。
【００４５】
その後、当該各バイパスケーブル５０を挿通させている固定部材Ｃの後側の取り付け板体１２を、当該外箱６０内であって、チャネルベース６４の底板上に位置している主回路ケーブルクリート６５にボルトとナットにより取り付けて、当該固定部材Ｃを当該主回路ケーブルクリート６５に固定する。この時、当該固定部材Ｃの前部の突出部は、丁度、前記チャネルベース６４の内側の凹部に、嵌合されて係止され、当該固定部材Ｃが不用意に動かないように安定した状態となっている。
【００４６】
この後、当該バイパスケーブル５０の負荷側先端５０ｂは、図１８に示すように、外箱６０の側面に、予め、設けた開閉自在な開口部から路上に引き出し、地上に載置されている「切」状態としたバイパス開閉器又は工事用開閉器に接続する（図示省略）。
【００４７】
この際、バイパスケーブル５０の負荷側先端５０ｂと、前記バイパス開閉器又は工事用開閉器との距離が短い場合は、バイパスケーブル５０の負荷側先端５０ｂと前記バイパス開閉器又は工事用開閉器とを直接接続するが、これらの距離が長い場合は、バイパスケーブル活線着脱工具Ａ付のバイパスケーブル５０の負荷側先端５０ｂに、通常のバイパスケーブルを接続して中継し、その後前記バイパス開閉器等に接続することもある。
【００４８】
また、バイパスケーブル５０の接続に際して、外箱６０の扉を開けた際、開放状態のバイパスケーブル５０が干渉することが予想される場合は、図１８に示すように、当該開口部直下のチャネルベース６４の上部の、左右の部分を夫々一定長切除し、その切除部６４ａを、予め、取り外し自在に設けておく必要がある。可動部材Ｂを取り付けた三相各相のバイパスケーブル端末５１を機器側のバイパス端子６１ｂに嵌合するにあたり、図１５に示すように、当該各バイパスケーブル端末５１を十分に引出した状態、すなわち開放状態としておく。
【００４９】
また、この時、取り付け板体１２を主回路ケーブルクリート６５に固定する位置は、予め、工場で前記機器６２側の各バイパス端子６１ｂの位置と、各可動部材Ｂのガイド突体４を固定部材Ｃの各ガイド挿通部９内に挿入した際の各可動部材Ｂの突出部３のバイパスケーブル５０のバイパスケーブル端末５１の位置とが一致するように調整しておくものとする。
【００５０】
そして、当該三相のバイパスケーブル５０の各可動部材Ｂのガイド突体４の先端部を、前記固定部材Ｃの各ガイド挿通部９の開口部の側板である金属板体８ｂ間にあてがって差し込み、当該ガイド挿通部９の手前のローラー９ｂの上に乗せ、さらに、前記固定金具７を前記可動部材Ｂの手前に回動し、倒された状態の当該固定金具７の係止体７ｄに、別途設けた、先端を略直角に屈曲させたカギ部６６ａを設けたフック棒６６の当該カギ部６６ａを係止し、そのまま可動部材Ｂを押圧して奥まで進める。その際、ガイド挿通部９の下部の最前列の両側のローラー９ｂの間にはシャフトが設けられていないので、バイパスケーブル５０は、固定部材Ｃ内を垂下出来る。
【００５１】
この時、当該突出部３が真っ直ぐに前進して前記機器側のバイパス端子６１ｂに正確に嵌合する様に、前述の通り、夫々の位置を調整しているので、前記ガイド突体４がガイドとなって前記上下左右のローラー９ａ、９ｂに挟まれた状態で円滑に奥まで前進すると、図１に示すように、前記各可動部材Ｂの突出部３内のバイパスケーブル端末５１が前記主回路の機器側のバイパス端子６１ｂに夫々確実に嵌合されて接続される。この時、事前に、機器側のバイパス端子６１ｂに被せてある防護栓を外しておく（図示省略）。
【００５２】
その後、前記フック棒６６で、図１７及び１８に示すように、前記固定金具７を起こして、枠体の屈曲部上に立たせた状態にして当該固定金具７のねじ部７ｃを、予め設けられた機器本体正面の雌ねじ穴（図示省略）にあてがい、前記フック棒６６を回して螺着して、これらを固定する。これらの作業を三相各相のバイパスケーブル５０毎に行う。この後、外箱６０の扉を閉めて終了となる。
【００５３】
また、三相各相のバイパスケーブル５０を開放（取り外し）する操作は、前術の手順を逆に行う。すなわち、バイパス開閉器又は工事用開閉器を「切」状態にし、外箱６０の扉を開け、図１９に示すように、フック棒６６のかぎ部６６ａを固定金具７の係止体７ｄに係止し、ねじ部７ｃを逆回転させて螺着を解除し、続いて、当該固定金具７を手前に水平に倒した状態で引っ張り、各バイパスケーブル端末５１を機器側のバイパス端子６１ｂから引き抜く。これにより、各バイパスケーブル端末５１の接続は解除される。
【００５４】
これらの結果、バイパスケーブル５０を活線状態で、短時間で、安全かつ確実に着脱出来る。加えて、これらの効果のほかに、バイパスケーブル５０の通電中に万一短絡電流が通電した場合、異相間同士にかかる１５０ｋｇｆを超える多大な電磁反発力に対して、特別な追加補強処置を施さなくても、以下の理由により十分耐えることが出来る。
【００５５】
すなわち、各バイパスケーブル端末５１を可動部材Ｂを形成する金属板体１と一体化し、各可動部材Ｂを固定金具７を用いて上方に位置する機器本体（機器６２）に螺着、固定することにより、また、各可動部材Ｂのガイド突体４を固定部材Ｃの各ガイド挿通部９内に挿入することにより、バイパスケーブル端末５１の回転しようとする力とバイパスケーブル端末５１の離脱しようとする力を阻止する。さらに、バイパスケーブル端末５１末端からバイパスケーブルクリート１０までのバイパスケーブル５０の正面から見て、左右方向に加わる力に対しては、固定部材Ｃを形成する各金属板体８により、また、正面から見て前後方向に加わる力に対しては、可動部材Ｂを形成する金属板体１とバイパスケーブルクリート１０により阻止する。
【００５６】
また、各バイパスケーブル端末５１を機器側のバイパス端子６１ｂに嵌合するとき、まず、各可動部材Ｂのガイド突体４の先端下部を固定部材Ｃの各金属板体８間に差し込み、さらに、下部の手前側のガイドローラー９ｂに乗せ、フック棒６６で可動部材Ｂ（バイパスケーブル端末５１）を押していくと、可動部材Ｂのガイド突体４の先端が金属板体８の上部の手前側のガイドローラー９ａに当接し、そのまま可動部材Ｂ（バイパスケーブル端末５１）を押していくとバイパスケーブル端末５１の嵌合部先端の中心が機器側のバイパス端子６１ｂ先端の中心に水平に正対して合わせることが出来、また、バイパスケーブル５０の自重を支えることが出来、その後の挿入嵌合動作においても複数のガイドローラー９ａ、９ｂにより無理なく、滑らかに挿入嵌合できる。
【００５７】
また、バイパスケーブルクリート１０を固定部材Ｃに対して回転自在とすることにより、バイパスケーブル端末５１の機器側のバイパス端子６１ｂへの嵌合状態時と引き抜き状態時のバイパスケーブル５０の撓みを吸収出来、バイパスケーブル端末５１とバイパスケーブルクリート１０間を短くしてもバイパスケーブル端末５１を機器側のバイパス端子６１ｂに無理なく滑らかに活線着脱できる。
【００５８】
固定金具７を回転自在にし、係止体７ｄを横向きＵ字型に設けてフック棒６６先端のかぎ部６６ａが入れられる穴（隙間）を設けたことにより、フック棒６６で各バイパスケーブル端末５１を機器側の各バイパス端子６１ｂに嵌合後、フック棒６６を外さないで、そのままフック棒６６でねじ部７ｃを回しながら各バイパスケーブル端末５１を機器６２側本体に固定することが出来る。
【００５９】
各バイパスケーブル端末５１が金属板体１や支持金具２などの金属で覆われているので、各バイパスケーブル５０が充電中に万一各バイパスケーブル端末５１が絶縁破壊を起こして異相地絡が生じても、速やかに事故電流を流せるので各バイパスケーブル端末５１の燃焼及び外箱６０の穴開きを防止できる。
【００６０】
前記実施例では、可動部材Ｂを２枚の金属板体１を相対向させて立設し、これらの内側に一対の支持金具２を設けて一体に形成しているが、可動部材Ｂを形成するのは、必ずしもこの様な構成に限らず、また、金属板体に限らない。また、固定部材Ｃを金属板体８を相対向させて立設し、当該金属板体８の間にローラー等を設けたものを３組並べ、これらを一体に形成して枠体を形成しているが、可動部材Ｂを形成するのは、必ずしもこの様な構成に限らず、また、金属板体に限るものではない。
【００６１】
可動部材Ｂに突出部３とガイド突体４とを設け、固定部材Ｃの各ガイド挿通部９にバイパスケーブル端末５１を取り付けたガイド突体４を挿入出来るものであるならば、他の方法によるものでも良い。また、係止部材として、固定金具７を用いているが、係止部材の構成としてはこれに限らない。
【００６２】
また、固定部材Ｃを形成する金属板体８を十字型に設けているが、上部にガイド挿通部９を形成し、下部にケーブル固定部を形成し、発明として効果を奏することが出来るものならば、十字型に限るものでなく、他の形状でも良い。さらに、ガイド挿通部９の上下のローラー９ａ、９ｂや、前側の突出部のローラー１１は無くてもよく、また、固定部材Ｃを外箱６０に固定するのは、必ずしも主回路ケーブルクリート６５に限るものではなく、外箱６０内の他の部位でも良い。
【００６３】
さらに、前記実施例においては、気中絶縁方式の機器６２に設けた機器側のバイパス端子６１ｂに、バイパスケーブル端末５１を取り付けているが、バイパスケーブル端末５１を取り付けるのは、他の開閉器乃至は他の地中配電機器のバイパス端末でもよい。また、正面側のチャネルベース６４の上部の一部を取り外し自在としているが、バイパス端子の位置が高く、支障なければ、通常のチャネルベースでももちろん良い。また、操作棒としてフック棒６６を使用して、可動部材Ｂを押圧等しているが、可動部材Ｂを押圧等する操作棒としては、これに限らず、他の構成のものでももちろん良い。
【００６４】
また、バイパスケーブル活線着脱工具Ａを形成するのに、２〜３メートルのバイパスケーブル５０を用いているが、バイパスケーブル活線着脱工具Ａを形成するバイパスケーブルの長さとしては、必ずしもこれに限るものではなく、使用時に最適な長さのものを用いれば良い。また、バイパス工事を始める際に、バイパスケーブル活線着脱工具Ａを付けたバイパスケーブル５０を主回路ケーブルクリート６５に取り付けた後、ハンドホール６３内に垂らされた当該バイパスケーブル５０の負荷側を、再度、外箱６０の側面の開口部から路上に引き出しているが、外箱６０の側面の他、ハンドホール６３の開口部から他方の扉の開口部を経て路上に引き出すことも出来、さらには、この時、他方の、チャネルベース６４の切除部６４ａを外し、当該箇所から路上に引出しても良い。
【図面の簡単な説明】
【００６５】
【図１】この発明の実施例において、外箱内の機器にバイパスケーブル活線着脱工具付のバイパスケーブルを接続した状態の一部縦断面図である。
【図２】この発明の実施例のバイパスケーブル活線着脱工具の可動部材の側面図である。
【図３】この発明の実施例のバイパスケーブル活線着脱工具の可動部材の平面図である。
【図４】この発明の実施例のバイパスケーブル活線着脱工具の可動部材の正面図である。
【図５】この発明の実施例のバイパスケーブル活線着脱工具の可動部材の背面図である。
【図６】この発明の実施例のバイパスケーブル端末に可動部材を取り付けた状態の断面図である。
【図７】この発明の実施例の可動部材に取り付ける固定金具の一部断面正面図である。
【図８】この発明の実施例の可動部材に取り付ける固定金具の側面図である。
【図９】この発明の実施例の可動部材に取り付ける固定金具の縦断面図である。
【図１０】この発明の実施例のバイパスケーブル活線着脱工具の固定部材の側面図である。
【図１１】この発明の実施例のバイパスケーブル活線着脱工具の固定部材の平面図である。
【図１２】この発明の実施例のバイパスケーブル活線着脱工具の固定部材の正面図である。
【図１３】この発明の実施例のバイパスケーブル活線着脱工具の固定部材の背面図である。
【図１４】この発明の実施例のバイパスケーブルクリート側ケーブルスペーサーの斜視図である。
【図１５】この発明の実施例において、外箱内の機器にバイパスケーブル端末を取り付けるために当該バイパスケーブル端末を開放した状態の一部縦断面図である。
【図１６】この発明の実施例において、外箱内の機器にバイパスケーブル端末を取り付けるためにフック棒で当該バイパスケーブル端末を押圧している状態の一部縦断面図である。
【図１７】この発明の実施例において、外箱内の機器にバイパスケーブル端末を取り付け、外箱の扉を閉めた状態の一部縦断面図である。
【図１８】この発明の実施例において、外箱内の機器にバイパスケーブル端末を取り付け、外箱の扉を閉めた状態の一部破断正面図である。
【図１９】この発明の実施例において、バイパス端子からバイパスケーブル端末を引き抜く状態の一部縦断面図である。
【符号の説明】
【００６６】
Ａ    バイパスケーブル活線着脱工具  
Ｂ    可動部材                    Ｃ    固定部材
１    金属板体                    ２    支持金具
３    突出部                      ４    ガイド突体
５    ねじ                        ６    ナット
７    固定金具                    ８    金属板体
９    ガイド挿通部              １０    バイパスケーブルクリート  
１１    ローラー                  １２    取り付け板体
５０    バイパスケーブル          ５１    バイパスケーブル端末
６０    外箱                      ６１    主回路ケーブル    
６１ｂ  機器側のバイパス端子      ６２    機器
６３    ハンドホール              ６４    チャネルベース
６５    主回路ケーブルクリート    ６６    フック棒
【図１】
0005064293.tif 000002
【図２】
0005064293.tif 000003
【図３】
0005064293.tif 000004
【図４】
0005064293.tif 000005
【図５】
0005064293.tif 000006
【図６】
0005064293.tif 000007
【図７】
0005064293.tif 000008
【図８】
0005064293.tif 000009
【図９】
0005064293.tif 000010
【図１０】
0005064293.tif 000011
【図１１】
0005064293.tif 000012
【図１２】
0005064293.tif 000013
【図１３】
0005064293.tif 000014
【図１４】
0005064293.tif 000015
【図１５】
0005064293.tif 000016
【図１６】
0005064293.tif 000017
【図１７】
0005064293.tif 000018
【図１８】
0005064293.tif 000019
【図１９】
0005064293.tif 000020